(57)【要約】【課題】工場組み立て時や分電盤の施工現場において一次送り回路を増設するにあたり、作業効率の向上並びに電気安全性の向上が期待でき、なおかつ本来の母線には特別な加工を施すことなく、しかも分岐開閉器の数を減らすことなく一次送り回路を増設することができる一次送り回路用端子台ユニットを提供する。【課題を解決するための手段】住宅用分電盤における一次送り回路用端子台ユニットに、一次送り回路用分岐開閉器の載置部を有し、該載置部には前記主開閉器の二次側から電源を供給される分岐開閉器の取付け固定部と同様な取付け固定部が形成されるとともに、一次送り回路用分岐開閉器の電源側端子に接続される第一の接続端子部と、該第一の接続端子部と一体に形成されて、前記載置部に載置される一次送り回路用分岐開閉器と電源側端子を対向させて配置する一次送り回路用分岐開閉器の電源側端子に接続される第二の接続端子部とを備えて構成した。【選択図】図１
2012139032.tif 000002
【特許請求の範囲】
【請求項１】
主開閉器の二次側から電源を供給される分岐開閉器と、
前記主開閉器の一次側から電源を供給される分岐開閉器を備える住宅用分電盤における一次送り回路用端子台ユニットの構造であって、
該一次送り回路用端子台ユニットは、一次送り回路用分岐開閉器の載置部を有し、
該載置部には、前記主開閉器の二次側から電源を供給される分岐開閉器が取り付けられる取付け固定部と同様な取付け固定部が形成されるとともに、
前記載置部に載置される一次送り回路用分岐開閉器の電源側端子に接続されて電源を供給する第一の接続端子部と、
該第一の接続端子部と一体に形成されて、前記載置部に載置される一次送り回路用分岐開閉器と電源側端子を対向させて配置する一次送り回路用分岐開閉器の電源側端子に接続される第二の接続端子部とを備えて構成したことを特徴とする一次送り回路用端子台ユニットの構造。
【請求項２】
前記住宅用分電盤において、
主開閉器の二次側から分岐開閉器に電源を供給する母線の延出方向に該母線を挟んで２列に並設される分岐開閉器群のうち、
一方の列の端部には、前記主開閉器の二次側から電源を供給される分岐開閉器の取付け固定部と同様な一次送り回路用分岐開閉器の取付け固定部が列設され、
他方の列の端部には、前記一次送り回路用分岐開閉器の取付け固定部に対向して前記主開閉器の一次側から電源を供給される分岐開閉器を載置する一次送り回路用端子台ユニットを配設する取付スペースが予め設けられるとともに、
前記一次送り回路用端子台ユニットに設けられた第一の接続端子部及び第二の接続端子部の一次送り回路用分岐開閉器の電源側端子に対する配置を、
前記主開閉器の二次側から電源を供給される分岐開閉器に接続される母線と該分岐開閉器との接続部と同様な位置関係で形成し、
前記一次送り回路用端子台ユニットを、前記２列に並設される分岐開閉器群の一方の列の端部に隣接させて配設することにより、
一次送り回路用分岐開閉器を前記一方の列の端部と、他方の列の端部とに隣接させて２回路配設させることができる前記一次送り回路用端子台ユニットを備えた住宅用分電盤。
【発明の詳細な説明】
【技術分野】
【０００１】
本発明は、キャビネットの内部に開閉器等の内部機器を組み込んだ分電盤に用いられる一次送り回路用端子ユニットの構造、ならびに該一次送り回路用端子台ユニットを備えた住宅用分電盤に関する。
【背景技術】
【０００２】
住宅用分電盤は、キャビネットの内部に、主開閉器、該主開閉器の二次側に接続される母線、該母線と各々接続される分岐開閉器などの内部機器を組み込んだもので、住宅等における電路の引込口装置として用いられている。適用される電路は、通常、交流５０Ｈｚ又は６０Ｈｚの単相２線式電路（１００Ｖ）、もしくは単相３線式電路（１００／２００Ｖ）が印加される電路である。
【０００３】
前記キャビネットは、住宅用分電盤の外郭を構成するもので、一般的に、前記内部機器を取付ける中底を取付け固定し、住宅用分電盤の上下左右の側面及び背面を覆う壁を形成するケースと、内部機器の操作面側に臨む前面側を覆うよう前記ケース前面側に設けられるカバーとを備えて構成される。
【０００４】
前記主開閉器、分岐開閉器、漏電遮断器などの内部機器は、一般的に中底に取り付けたうえで一体のものとして、前記ケースに取付固定され、構成される。図１８（特許文献１における図３）に示す如く、中底に相当する基板２１に分岐開閉器が複数取り付けられ、一体のものとしてケース（図示しない）に取付固定されるようになっている。
【０００５】
また前記住宅用分電盤には、前記主開閉器の負荷側から電源を供給されて主開閉器が開路したときには電源供給が停止される通常の分岐開閉器と、前記主開閉器の電源側から直接電源を供給され、主開閉器が開路しても電源供給が継続される一次送り回路用の分岐開閉器との２種類が備えられる場合がある。
【０００６】
前記通常の分岐開閉器への電源供給は、主開閉器の二次側（負荷側端子）に接続される接続導体を介して、該接続導体に接続されて分岐開閉器の並設方向に延出されてそれぞれの分岐開閉器が接続される母線から行われる。このため、主開閉器の開閉状態に合わせて分岐開閉器への電源供給が停止／開始される。
【０００７】
一方、前記一次送り回路用の分岐開閉器への電源供給は、一般的に前記主開閉器の一次側（電源側端子）に接続される接続導体を介して行われる。このため、主開閉器の開閉状態に関わらず常に住宅等に引き込まれる電路の電源状態が一次送り回路に反映される。
【０００８】
昨今では、負荷機器としての火災報知器やカードロック式のドアなど安全監視機器を接続する場合などには、主開閉器の一次側から一次送り回路用としての分岐開閉器を介して電源を供給（１次送り）するように１次送り配線を行い，主開閉器が漏電や過電流などの異常電流により自動的に開路した場合や、操作ハンドルにより主導で回路した場合でも前記安全監視機器への電源が継続して供給されるようになっている。
【０００９】
さて、特許文献１には、前述したような一次送り回路を備える分電盤として、分電盤内に１次送り分岐ブレーカーを配設する場合に，１次送り専用分岐ブレーカーをその他の２次側の分岐ブレーカーと同一場所に配設でき，なおかつ分岐ブレーカーの回路数を最大限に設けることができる端子台が開示されている。この端子台は、基板への固定手段とプラグイン端子を有し，該プラグイン端子に導体を接続するための開口を具備し該開口は短側面から長側面に連続して開口しているブレーカのプラグイン端子に電源導体を接続する端子台であって，該端子台は，電源導体を接続する端子部と前記プラグイン端子に接続するバー状端部を備える導電体，該導電体を保持するとともに前記基板への固定手段を備える絶縁枠体から成り，該端子台は前記ブレーカの長側面に接して位置するとともに，前記導電体のバー状端部はプラグイン端子に挿入接続されて前記ブレーカの長側面の開口から導出されることを特徴としているものである。
【先行技術文献】
【特許文献】
【００１０】
【特許文献１】特開２００３−２８９６０４号公報
【発明の概要】
【発明が解決しようとする課題】
【００１１】
しかしながら、
特許文献１における端子台を分電盤に適用するにあたり、前記１次送り分岐ブレーカを、前記他の２次側の分岐ブレーカと同一場所に配設するため、該他の２次側の分岐ブレーカを取り外す必要が生し、分岐ブレーカの回路数が一回路分減少することになる。また、本来他の２次側の分岐ブレーカに電源を供給するための導電バー４のブレーカに接続するための接続部を予め切断しておく必要があり、作業に係る手間が発生するという課題があった。
【００１２】
そこで、本発明は、上記問題に鑑みてなされたもので、工場組み立て時や分電盤の施工現場において一次送り回路を増設するにあたり、作業効率の向上並びに電気安全性の向上が期待でき、なおかつ本来の母線には特別な加工を施すことなく、しかも分岐開閉器の数を減らすことなく一次送り回路を増設することができる一次送り回路用端子台ユニットを提供することを目的とする。
【課題を解決するための手段】
【００１３】
本発明に係る分電盤は、上述の課題を解決すべく構成されたもので、
主開閉器の二次側から電源を供給される分岐開閉器と、前記主開閉器の一次側から電源を供給される分岐開閉器を備える住宅用分電盤における一次送り回路用端子台ユニットの構造であって、該一次送り回路用端子台ユニットは、一次送り回路用分岐開閉器の載置部を有し、該載置部には、前記主開閉器の二次側から電源を供給される分岐開閉器が取り付けられる取付け固定部と同様な取付け固定部が形成されるとともに、前記載置部に載置される一次送り回路用分岐開閉器の電源側端子に接続されて電源を供給する第一の接続端子部と、該第一の接続端子部と一体に形成されて、前記載置部に載置される一次送り回路用分岐開閉器と電源側端子を対向させて配置する一次送り回路用分岐開閉器の電源側端子に接続される第二の接続端子部とを備えて構成するとよい。
【００１４】
かかる構成によれば、一次送り回路用端子台ユニットを分電盤における所定の位置に配設することにより、特別に一次送り回路用の分岐開閉器の取付台を設けなくとも、２回路の一次送り回路用の分岐開閉器を母線には特別な加工を施すことなく、なおかつ分岐開閉器の数を減らすことなく増設することができる。
【００１５】
また、前記住宅用分電盤において、主開閉器の二次側から分岐開閉器に電源を供給する母線の延出方向に該母線を挟んで２列に並設される分岐開閉器群のうち、一方の列の端部には、前記主開閉器の二次側から電源を供給される分岐開閉器の取付け固定部と同様な一次送り回路用分岐開閉器の取付け固定部が列設され、他方の列の端部には、前記一次送り回路用分岐開閉器の取付け固定部に対向して前記主開閉器の一次側から電源を供給される分岐開閉器を載置する一次送り回路用端子台ユニットを配設する取付スペースが予め設けられるとともに、前記一次送り回路用端子台ユニットに設けられた第一の接続端子部及び第二の接続端子部の一次送り回路用分岐開閉器の電源側端子に対する配置を、前記主開閉器の二次側から電源を供給される分岐開閉器に接続される母線と該分岐開閉器との接続部と同様な位置関係で形成し、前記一次送り回路用端子台ユニットを、前記２列に並設される分岐開閉器群の一方の列の端部に隣接させて配設することにより、一次送り回路用分岐開閉器を前記一方の列の端部と、他方の列の端部とに隣接させて２回路配設させることを特徴として前記一次送り回路用端子台ユニットを備えた住宅用分電盤を構成してもよい。かかる構成によれば、一次送り回路用端子台ユニットを分電盤における所定の位置に配設することにより、主開閉器の二次側から電源を供給される分岐開閉器群を構成する分岐開閉器の端部に隣接させて、分岐開閉器の並びに沿って同間隔で列設させて、見栄えよく一次送り回路用の分岐開閉器を配設することができる。
【発明の効果】
【００１６】
以上の如く、本発明によれば、工場組み立て時や分電盤の施工現場において一次送り回路を増設するにあたり、作業効率の向上並びに電気安全性の向上が期待でき、なおかつ本来の母線には特別な加工を施すことなく、しかも分岐開閉器の数を減らすことなく見栄えよく一次送り回路を増設することができる一次送り回路用端子台ユニットを提供することができる。
【図面の簡単な説明】
【００１７】
【図１】本発明の第一の実施形態を示す分電盤の中底の外観構成図を示す。
【図２】第一の実施形態における分電盤の斜視図を示す。
【図３】中底の分解図を示す。
【図４】中底の分解図を示す。
【図５】母線の分解図を示す。
【図６】中底の組立図を示す。
【図７】一次送り回路用端子台ユニットの外観構成図を示す。
【図８】一次送り回路用端子台ユニットの外観斜視図を示す。
【図９】一次送り回路用端子台ユニットを分電盤に取り付けた図を示す。
【図１０】一次送り回路用端子台ユニットを分電盤に取り付けた図を示す。
【図１１】一次送り回路用端子台ユニットに分岐開閉器を取り付けた図を示す。
【図１２】分岐開閉器の外観図を示す。
【図１３】分岐開閉器の底面側から見た図を示す。
【図１４】分岐開閉器の外観図を示す。
【図１５】中底に分岐開閉器を取り付ける図を示す。
【図１６】中底に分岐開閉器を取り付けた図を示す。
【図１７】中底の分解図を示す。
【図１８】従来例における一次送り回路用分岐開閉器を取り付けた図を示す。
【発明を実施するための形態】
【００１８】
次に本発明の実施形態を図面を用いて詳細に説明する。
【００１９】
（第１の実施形態）
図１には、本実施形態に係る住宅用分電盤の中底１１の外観構成図を示している。住宅用分電盤は、分電用の内部機器を収容すべく、前面側が開放されたケースと、該開放部を開閉自在且つ着脱自在に覆う前面カバーとを備え、ケース内に、主開閉器４あるいは該主開閉器４と接続導体９及び母線１０を介して接続される複数の分岐開閉器７、などが配置される（図１においては、該ケースと前面カバーが外されていて図示されていない）。ケースの背面側には適宜箇所に形成された開口部が設けられており、該開口部を通って壁面内からケース内に引き込まれる負荷側電線が夫々の分岐開閉器７に接続される。
【００２０】
前記分岐開閉器７などの内部機器は、中底１１に取り付けられた状態で前記ケース２に取付固定される。本実施形態では、前記中底１１の、内部機器を取り付ける側を前面側とし、ケースに取り付ける側（ケースに対向する側）を背面側としている。
【００２１】
図１中に示している分岐開閉器７は、前記主開閉器の負荷側から電源を供給されて主開閉器４が開路したときには電源供給が停止される通常の分岐開閉器である。該分岐開閉器７への電源供給は、主開閉器４の二次側（負荷側端子）に接続される接続導体９を介して、該接続導体に接続されて分岐開閉器７の並設方向に延出されてそれぞれの分岐開閉器７が接続される母線１０から行われる。このため、主開閉器４の開閉状態に合わせて分岐開閉器７への電源供給が停止／開始される。
【００２２】
前記分岐開閉器７は、前記母線１０の延出方向において、該母線１０を挟んで２列に並設されて分岐開閉器群を形成している。図１中、２列に並設された分岐開閉器のうち、上側に列設されて配設された分岐開閉器群を第一の分岐開閉器群７ａとし、下側に列設されて配設された分岐開閉器群を第二の分岐開閉器群７ｂとする。
【００２３】
前記中底１１には、前記主開閉器４の電源側から直接電源を供給され、主開閉器４が開路しても電源供給が継続される一次送り回路用の分岐開閉器を配置するスペースを予め備えている。該一次送り回路用の分岐開閉器を配置するスペースは、前記母線１０を挟んで上側の列及び下側の列共に、第一の分岐開閉器群７ａ、第二の分岐開閉器群７ｂにおける列の主開閉器４側の端部に分岐開閉器７に隣接させて設けている（１１２２３Ａ、１１２２３Ｂ）。
【００２４】
前記下側の列における一次送り回路用の分岐開閉器を配置するスペース１１２２３Ｂは、前記主開閉器４の二次側から電源を供給される分岐開閉器７の取付部と同様な形状に形成された一次送り回路用分岐開閉器の取付部を列設することにより構成している。
また、前記上側の列における一次送り回路用の分岐開閉器を配置するスペース１１２２３Ａは、前記スペース１１２２３Ｂと対向する位置に前記一次送り回路用の分岐開閉器を載置する一次送り回路用端子台ユニットを配設する取付スペース（１１２２３Ａ）として構成している。
【００２５】
図２に示すように、一次送り回路用の分岐開閉器を配置するスペース１１２２３Ｂと一次送り回路用端子台ユニットを配設するスペース１０２２３Ａとの間には、前記母線１０を潜るように、一次送り回路用端子台ユニットの貫通部１１２０が設けられている。後述する一次送り回路用端子台ユニットは、前記スペース１１２２３Ａに取り付けられるときに、前記一次送り回路用端子台ユニットの貫通部１１２０から前記スペース１１２２３Ｂに接続端子部が露出することにより、下側の列における一次送り回路用の分岐開閉器に電源を供給することが可能に構成している。
【００２６】
ここで、中底１１の構成について、図２乃至図６を参酌しつつ説明する。該中底１１は、前記ケース２に取り付けられる下板部１１１と、該下板部１１１に載置され内部機器を取り付ける上板部１１２とを備えて構成される。前記下板部１１１は金属板により構成され、前記上板部１１２は樹脂成型により構成されている。下板部１１１と上板部１１２との取り付けは、下板部１１１に設けた取付孔部１１１１に、上板部に該孔部と対応した位置に設けられた取付爪片１１２３が嵌合することにより行われる構造となっている。
【００２７】
下板部１１１に上板部１１２を取り付けることにより、内部機器を取り付けるベースとなる中底１１が形成される。また、中底１１を階層構造として構成することができる。前記下板部１１１は金属板を折り曲げて形成されており、所定の強度は保たれているが、前記下板部１１１と上板部１１２とで二重化構造とすることにより、中底の構造体としての強度を更に向上させることができ、中底に開閉器等を載置した場合に中底が撓むなどの変形を防止することができる。中底の撓みが防止できることにより、母線や開閉器など内部機器自体や、母線と開閉器等との電気的な接続部分に不用な応力が印加されることが低減し、機械的な変形や破損、また、電気的な接続の信頼性を向上させることができる。
【００２８】
図中には、上板部１１２の例として、前記母線１０から電力を供給される分岐開閉器を該母線１０を挟んで片側に８回路、２列全体で１６回路の分岐開閉器を載置可能な上板部を示している。前述したように、下側の列については、一次送り回路用の分岐開閉器を取付けるための取付部（１１２２３Ｂ）が、前記母線１０から電力を供給される分岐開閉器７の取付部と列設されて設けられている。前記上板部１１２には、略中央部を横断するように各極の母線１０を取り付ける母線取付部１１２１が設けられ、前記横断の方向と直交する方向に分岐開閉器を取り付ける分岐開閉器取付部１１２２が夫々設けられている。
【００２９】
分岐開閉器７は、前記母線の幹となる部分を挟んで両側に設けられ、片側毎に前記母線１０の延出する方向に複数の分岐開閉器が並設配置される構成となっている。図２において，前記幹となる部分が延出する方向に対して手前側がＬ１の電圧極であり，奥側がＬ２の電圧極である。各々の母線には分岐開閉器７に電力を供給するための分岐線が分岐回路毎に一体に設けられている。
【００３０】
前記母線１０１、１０２、１０３は互いに電位が異なるものであり、便宜的に、第一の電圧極となる母線１０３をＬ１、第二の電圧極となる母線１０２をＬ２、中性極となる母線１０１をＮで表す。これら母線は、略柱状に形成されて幹となる部分を有した銅バーからなり、該母線が略平行に並べられて、母線を互いに絶縁する絶縁部材からなる上板部１１２の母線取付部１１２１に配設される。
【００３１】
本住宅用分電盤に設けられる分岐開閉器７には電圧切替構造が備えられており、母線１０１、１０２、１０３の内、所定の２つの母線とプラグイン端子により電気的に接続されることにより、負荷回路に電源が供給される（詳しくは後述する）。単相３線式の電路においては、負荷回路に供給され得る電源電圧の大きさは、１００Ｖ又は２００Ｖである。
【００３２】
前記第一の分岐開閉器群７ａにおいては、前記分岐開閉器２の一方のプラグイン端子（図１５における７２２Ｂ）を前記母線１０１（Ｎ）と接続し、他方のプラグイン端子（図１５における７２２Ｃ）を前記母線１０３（Ｌ１）と接続した場合には１００Ｖが供給される。また、前記分岐開閉器２の一方のプラグイン端子（図１５における７２２Ｂ）を図中手前側の側面側に移動させて前記母線１０２（Ｌ２）と接続し、他方のプラグイン端子（図１５における７２２Ｃ）を前記母線１０３（Ｌ１）と接続した場合には２００Ｖが供給される。
【００３３】
また、前記第二の分岐開閉器群７ｂにおいては、前記分岐開閉器のプラグイン端子（７２２Ｂ）を前記母線１０１（Ｎ）に、プラグイン端子（７２２Ｃ）を前記母線１０２（Ｌ２）に接続した場合には１００Ｖが供給されるが、電圧位相は、前記分岐開閉器群７ａの場合とは逆の位相となる。
【００３４】
現在では、負荷回路に供給される電源電圧は、住宅内の照明用回路及びテレビやビデオなどの家電機器に用いる一般的なコンセント用回路としては１００Ｖが多く、容量の大きなエアコンなどに用いる回路には２００Ｖを用いる。このように、負荷回路に接続される電気機器に応じて、分岐開閉器２のプラグイン端子と母線との接続状態を変更することにより、分岐開閉器並びに負荷回路に供給する電源の電圧を適切なものに設定する。
【００３５】
母線の両端部には、該母線と他の導体とを接続するためのねじが貫通される孔が設けられている。そして前記母線の両端間には、母線の長手方向（図２中の左右方向）に沿って、分岐開閉器が並設配置され、また、前記母線１０１を境に分岐開閉器の母線との接続部が互いに向き合うように、上下２列に分岐開閉器が配置される。上側の列の分岐開閉器は、母線１０３（Ｌ１）と、母線１０１（Ｎ）又は母線１０２（Ｌ２）と接続され、母線１０３（Ｌ１）と母線１０１（Ｎ）とに接続されるときは１００Ｖが供給され、母線１０３（Ｌ１）と母線１０２（Ｌ２）とに接続されるときは２００Ｖが供給される。下側の列の分岐開閉器は、母線１０２（Ｌ２）と、母線１０１（Ｎ）又は母線１０３（Ｌ１）と接続され、母線１０２（Ｌ２）と母線１０１（Ｎ）とに接続されるときは１００Ｖが供給され、母線１０２（Ｌ２）と母線１０３（Ｌ１）とに接続されるときは２００Ｖが供給される。
【００３６】
（母線の構造）
次に、母線の構造について説明を行う。図１６は、中底１１から一部の分岐開閉器を取り外し、母線を露出させた状態を示している。
【００３７】
母線１０１、１０２、１０３には、母線と分岐開閉器のプラグイン端子との電気的接続部となる分岐線１０１０１ｂ、１０２０１ｂ、１０３０１ｂが、各々の分岐開閉器の並設位置に対応して、前記長手方向に対して垂直な方向に突出して設けられている。分岐線１０３０１ｂは母線１０３（Ｌ１）に対応し、１０２０１ｂは母線１０２（Ｌ２）に対応し、１０１０１ｂは母線１０１（Ｎ）に対応し、これら１０１０１ｂ、１０２０１ｂ、１０３０１ｂが一つの組となって分岐開閉器の回路数だけ設けられている。
【００３８】
前記下側の列の分岐開閉器においては、分岐開閉器を母線に接続するときには、分岐開閉器のプラグイン端子を、分岐線１０２０１ａ（Ｌ２）を共通として、１０３０１ａ（Ｌ１）又は１０１０１ａ（Ｎ）に選択的に接続することで、２００Ｖ又は１００Ｖの電源が供給される。
【００３９】
前記上側の列の分岐開閉器においても同様であり、分岐開閉器のプラグイン端子を、分岐線１０１０３ｂ（Ｌ１）を共通として、１０２０１ｂ（Ｌ２）又は１０１０１ｂ（Ｎ）に選択的に接続することで、２００Ｖ又は１００Ｖの電源が供給される。
【００４０】
前記各極の母線のうち，１０３（Ｌ１），１０２（Ｌ２）の電圧極の母線は幹となる部分が夫々同一形状に形成され、端部が対称に形成されている。
【００４１】
Ｌ２の電圧極の母線１０２を例として説明すると，Ｌ２の電圧極の母線１０２は，該母線の幹となる部分１０２０が，前記分岐開閉器７を並設する方向に延出され，両端部には母線と他の電気導体を接続するためのねじ端子を貫通させるための孔が形成されている。
【００４２】
前記幹となる部分１０２０には，前記分岐開閉器の分電盤への取付面となる背面から前記操作ハンドルが設けられた前面への方向を高さ方向とした場合に，前記高さ方向に前記幹となる部分と略直角に折曲形成された立上がり部１０２１が形成され，該立上がり部１０２１から，前記分岐線が，前記幹となる部分１０２０と略平行に，互いに反対の方向（接続される分岐開閉器の電源−負荷側方向）に一体に延出されている。
【００４３】
前記分岐線のうち，立上がり部から幹となる部分１０２０の方向に延出している分岐線１０２０１ａは，図１における下側の列の分岐開閉器群７ａに共通して接続される分岐線であり，分岐線１０２０１ｂは，上側の列の分岐開閉器群７ｂにより他極の分岐線と選択的に接続される分岐線である。
【００４４】
また，Ｌ１の電圧極の母線１０３について説明すると，その分岐線の部分の形状はＬ２の電圧極の母線１０２と同一であり，母線の幹となる部分の端部の形状が対象に形成されている。前記２つの分岐線のうち，立上がり部から幹となる部分１０３の方向に延出している分岐線１０１０１ｂは，上側の列の分岐開閉器７に共通して接続される分岐線であり，分岐線１１００１ａは，下側の列の分岐開閉器７により他極の分岐線と選択的に接続される分岐線である。
【００４５】
前記各極の母線のうち，中性極の母線１０１について説明すると，該中性極の母線１０１の幹となる部分１０１０が，前記電圧極の母線と同様に分岐開閉器７を並設する方向に延出され，両端部には母線と他の電気導体を接続するためのねじ孔が形成されている。
【００４６】
また，中性極の母線１０１の両端部は段差を形成するよう折曲げ形成されて，前記絶縁壁１１３に各極の母線を取付けた場合に，該幹となる部分１０１０が前記電圧極の母線１０３，１０１よりも前記高さ方向において高くなるよう配設される。
【００４７】
また，中性極の母線１０１の幹となる部分１０１０から，複数の分岐線１０１０１ａ，１０１０１ｂが，前記幹となる部分１０１０と略平行に，互いに反対の方向（接続される分岐開閉器の電源−負荷側方向）に一体に延出されている。これら分岐線１０１０１ａ，１０１０１ｂは，何れも分岐開閉器７に選択的に接続される分岐線である。
【００４８】
また，後述するが，各極の３つの母線を組み合わせた場合における分岐線の位置関係を補足すると、次のように構成されている。
【００４９】
上側の列の分岐開閉器を例とすると、Ｌ１の電圧極の母線１０３における分岐線と，Ｌ２の電圧極の母線１０２における分岐線と、Ｎ極の母線１０１における分岐線との内，分岐開閉器２と選択的に接続される分岐線１０２０１ｂと１０１０１ｂとの位置関係は，分岐開閉器の並設方向において，各々の分岐線１０２０１ｂと１０１０１ｂとが交互に，夫々の分岐線の中間に位置するように配設される。そして，各々の分岐線１０２０１ｂと１０１０１ｂは，前記前面視において、他方の電圧極の母線の幹となる部分まで突出し，前記前面側からの平面視において，分岐開閉器に共通に接続される分岐線１０３０１ａ，１０２０１ｂと略同じ長さに形成されている。
【００５０】
次に，中性極の母線１０１における分岐線１０１０１ａと１０１０１ｂとは，分岐開閉器の並設方向において，前記分岐線１０２０１ｂ，１０１０１ａと同じ位置に配設され，前記前面側からの平面視において，分岐線１０１０１ａ，１０２０１ｂと略同じ長さに形成されている。なお，中性極の母線１０１の幹となる部分１０１０は，電圧極の母線１０３，１０２よりも前記高さ方向において高くなるように配設されているため互いに干渉しない。
【００５１】
即ち，図１における上側の列並びに下側の列の何れの側においても，分岐線のうち分岐開閉器７に選択的に接続される分岐線１０１０１ａと１０２０１ａ，並びに１０１０１ｂと１０２０１ｂは前記前面側からの平面視において，互いに重ならないように配設されている。
【００５２】
また，前記分岐線１０１０１ａと１０２０１ａ，並びに１０１０１ｂと１０２０１ｂは夫々の高さを同一に設けて配設されている。また、前記一つの組となる分岐線を、分岐開閉器を差し込む方向から見た場合、上側の列においても、下側の列においても、常に右側に位置する分岐線がＮ極の分岐線となっており、視覚的に統一性がとれる構造となっている。
【００５３】
（母線の組立構造）
次に，母線の組立構造について，図３乃至図６を用いて説明する。
【００５４】
まず，図３において、下板部１１１に上板部１１２を載置取付する。そして図４において，前記上板部１１２にＬ１の電圧極の母線１０３，Ｌ２の電圧極の母線１０２を取付ける。上板部１１２は，夫々母線を絶縁できるよう樹脂材料にて形成され，分岐回路数に応じて，母線の幹となる部分の長さに合わせて種々の大きさのものが用意される。
【００５５】
上板部１１２には，母線の配置が一義的に行われるよう，予め母線の両端部に設けられるねじ端子に対応するナットを嵌め込む凹み部１１２０３、１１２０２，１１２０１が上板部１１２の本体の両端部に設けられ，また，夫々の電圧極における前記立上がり部１０３１，１０２１に対応する凸部１１２４，前記分岐線１０３０１，１０２０１を互いに絶縁する絶縁壁Ａ１１２５，後述する絶縁壁１１３並びに中性極の母線１０１をねじ止め固定するためのねじ止め穴１１２６が設けられている。また、後述する分岐開閉器７の電源端子側に設けられている凹み部７３１と係合して分岐開閉器７の正規な取付位置決めを行う内部機器支持片Ｂ１１２３が、前記上板部１１２の凹み部１１２１ｂから前面方向に立設されている。
【００５６】
次に，絶縁壁１１３に中性極の母線１０１を取付ける。絶縁壁１１３には，中性極の母線１０１の取付けが一義的に行われるよう，中性極の母線１０１における分岐線１０１０１ａ，１０１０１ｂを避けて，中性極の母線本体を嵌めこむ嵌め込み部１１３１が形成されている。また，絶縁壁１１３には，中性極の母線１０１の分岐線１０１０１ａ，１０１０１ｂの一部を覆う壁部１１３２と，電圧極の母線における分岐線１０３０１ａ，１０２０１ａを避けた窪み部１１３３とが設けられており，中性極の母線と，電圧極の母線との絶縁が保たれるよう構成されている。また、前記分岐線１１０１ｂの延出方向と同方向に絶縁壁１１３と一体に突設されて、分岐開閉器７の器体の間に差し込まれる内部機器支持片Ａ１１３４が形成されている。該内部機器支持片Ａ１１３４は後述する分岐開閉器７の凹み部Ａ７３２に差し込まれ内部機器支持片Ａ１１３４の両側の分岐開閉器７の並設方向の揺動を抑制する役割を果たす。
【００５７】
次に，中性極の母線１０１を取付けた絶縁壁１１３を，前記電圧極の母線を取付けた上板部１１２に取付ける。このとき，中性極の母線１０１を取付けた絶縁壁１１３を，前記電圧極の母線を取付けた上板部１１２に前記高さ方向における上部から，前記窪み部１１３３が概ね夫々の電圧極の母線の分岐線と重なるように落とし込むことで位置決めができる。そして，前記中性極の母線に設けられたねじ止め固定するための穴１０１３にねじを差込み，絶縁部材１１３に設けられたねじ止め穴１１３４を介して、ねじ穴１１２６にねじを締め込むことで取付が完了する。
【００５８】
Ｌ１，Ｌ２の２つの電圧極の母線と，中性極の母線は、夫々絶縁壁１１３並びに絶縁壁Ａ１１２５により互いに絶縁され，電気安全が保たれる。このように上板部において母線が組み付けられる。
【００５９】
このように構成された上板部において、分岐開閉器７は、前記母線の幹となる部分を境として両側に設けられ、片側毎に前記母線１０の延出する方向に複数の分岐開閉器が並設配置される構成となっている。図２において，前記幹となる部分が延出する方向に対して手前側がＬ１の電圧極であり，奥側がＬ２の電圧極である。各々の母線には分岐開閉器７に電力を供給するための分岐線が分岐回路毎に一体に設けられている。
【００６０】
前記母線取付部１１２１は、前記前面側−背面側の方向において分岐開閉器取付部１１２２の高さを基準とし、中性極の母線１０１が最も前面側に位置するように突出部１１２１ａが設けられる一方、２つの電圧極の母線（Ｌ１，Ｌ２の母線）１０３，１０２が分岐開閉器取付部１１２１の高さよりも背面側に位置するように凹み部１１２１ｂが設けられている。
【００６１】
中性極の母線１０１の幹部が最も前面側に位置することにより、分電盤の点検時などに不用意に母線に接触することによる感電事故を極力防止することができる。
【００６２】
また、前記凹み部１１２１ｂの凹み量は、該凹み部に前記母線１０２、１０３が取り付けられた場合に、該母線１０２、１０３の前面側の高さが前記分岐開閉器取付部１１２１の高さよりも数ｍｍ背面側となる程度に設けられている。これにより、分岐開閉器７を分岐開閉器取付部１１２２に取り付けた場合に、該分岐開閉器７の電源側部分の背面側が前記母線１０２、１０３の前面側に位置するが、該分岐開閉器と母線との絶縁距離を確保した状態で上板部１１２に取り付け固定することができる。
【００６３】
さて、前記分岐開閉器取付部１１２２においては、各回路毎に仕切り部１１２２ａが設けられている。該仕切り部１１２２ａの内寸は、分岐開閉器７の並設方向の幅寸法と同等程度に設けられており、該仕切り部同士の内側に分岐開閉器を収めることができる。また、該仕切り部１１２２ａは、分岐開閉器７を母線１０の分岐線に接続する場合に、該分岐線の方向にスライドさせるガイドとして利用されるとともに、取付後の分岐開閉器の並設方向へのガタ防止部としても利用される。
【００６４】
（分岐開閉器７の構造）
前記内部機器としての分岐開閉器７を図１２乃至図１４を用いて説明する。分岐開閉器７は、電源側端子と負荷側端子間が主回路導電部により接続される。該主回路導電部には操作ハンドル７０３と連動する開閉機構部が介在して入切操作される。該分岐開閉器７は、器体が長手方向に分割構成される筐体７０１、７０２により形成される。該器体の長手方向のそれぞれの端部には、電源と接続される電源側端子並びに負荷側回路に電源を供給する負荷側端子が設けられる。
【００６５】
前記分岐開閉器７の器体の内部には、電源側端子並びに負荷側端子と接続される主回路導電部、該主回路導電部に介在し主回路導電部に設けられた接点を接触／離反させる接点開閉機構、主回路導電部に異常電流が流れたときには前記接点開閉機構に作用して回路を切動作させる自動遮断機構等が設けられる。前記接点開閉機構を筐体の外部から入切操作する操作ハンドル７０３が筐体の前面側に設けられている。また、電源側端子の前面側には凹み部Ｂ７３１が形成されており前述した内部機器支持片Ｂ１１２３と係合して正規な取付位置決めを行う。また、分岐７の側面の前面側には電源側から負荷側にかけて凹み部Ａ７３２が形成されており前述した内部機器支持片Ａ１１３４と係合して並設方向の揺動を抑制する。
【００６６】
７０５、７０６は前記負荷側端子に負荷側回路に至る負荷側電線を挿入接続するための電線挿入孔である。電源側端子はプラグインタイプの端子を用い、負荷側端子は鎖錠接続端子を用いて構成している。
【００６７】
なお、前記分岐開閉器の器体を並設する方向を側面側とし、前記分岐開閉器の器体のうち、分岐開閉器を操作する操作ハンドル７０３が設けられた側を前面側、分岐開閉器を取付け固定する取付け板に取り付けられる側を背面側とする。該前面側／背面側の方向は、前記中底の前面側／背面側方向と一致する。
【００６８】
また、前記分岐開閉器取付部１１２２における母線側と反対側の端部には、各回路毎に分岐開閉器７を取り付け固定するための分岐開閉器引掛部１１２２ｂが設けられている。該分岐開閉器引掛部１１２２ｂは、分岐開閉器７の背面側に設けられた凹部７０７に設けられた被引掛部７０８に引掛けられ、取付後に、前記前面方向に分岐開閉器が外れる方向の動きを規制する。
【００６９】
具体的には、分岐開閉器引掛部１１２２ｂには、母線から遠ざかる方向に伸びた引掛片が形成されており、分岐開閉器７の背面側の凹部７０７には、分岐開閉器の負荷側から電源側に延出し、前記引掛片と引掛かるように前面側−背面側の高さをあわせて形成された被引掛部７０８が形成されている。
【００７０】
下板部１１１における、前記母線１０の幹が延出される方向と平行な辺の端部は、略Ｌ字状に折り曲げ加工して形成されている。これは、下板部１１１の強度を保つとともに、前記分岐開閉器７を母線の分岐線と接続した場合に、分岐開閉器における電源側から負荷側方向への動きを規制するためのものである。即ち、分岐開閉器７の負荷側端子部には、該分岐開閉器７の背面側から突出する、しないを外部つまみにより択一的に選択するロックレバー７０４１が設けられており、分岐開閉器の背面側から突出したロック片７０４２が前記折曲部の母線側に対向する面と係合することにより、分岐開閉器における電源側から負荷側方向への動きを規制する。このため、振動などにより、分岐開閉器７が分岐線から外れてしまうことを防止でき、分岐開閉器の上板部１１２への取付固定を確実なものとできる。
【００７１】
分岐開閉器７の取付時には、該分岐開閉器７を分岐開閉器取付部１１２２に載置し、該分岐開閉器７を分岐線の方向にスライドさせていくと、分岐開閉器の背面に形成された凹部７０７に分岐開閉器引掛部１１２２ｂが嵌り込み、さらにスライドさせることにより、分岐開閉器側の被引掛部７０８と分岐開閉器引掛部１１２２ｂが嵌合し、前面側−背面側の動きが規制される。このとき、前記母線１０における分岐線と分岐開閉器７における電源側の電源端子とが接続されて、電気的な接続も行われる。
【００７２】
そして、前記ロックレバー７０４１の外部つまみを下板部１１１の方向に押下げることにより、分岐開閉器７の背面からロック片７０４２が突出して下板部１１１の折曲部１１１２と嵌合し、取り付けが完了する。
【００７３】
また、上板部１１２から分岐開閉器７を取り外すときには、前記ロックレバー７０４１の外部つまみを下板部１１１と反対の方向（前記分岐開閉器の前面側）に引き上げて、ロック片７０４２を背面から突出しない状態にし、分岐開閉器７を母線から遠ざかる方向に引き抜くように移動させることにより、前記分岐開閉器引掛部１１２２ｂと前記被引掛部７０８との係合が外れると同時に母線１０と分岐開閉器７の電源側端子との接続が解かれ、取り外しが完了する。
【００７４】
次に、図７乃至図１１を用いて一次送り回路用端子台ユニット３００について説明を行う。一次送り回路用端子台ユニット３００は、上列における一次送り回路用としての分岐開閉器７１を載置するための載置部３０１と、該分岐開閉器７１を取付固定するための分岐開閉器引掛部３０２ｂと、一端側に、分岐開閉器７１に電源を供給するための接続端子３０４ａ、３０５ａ及び下列における一次送り回路用としての分岐開閉器７２に電源を供給するための接続端子３０４ｂ、３０５ｂを備え、他端側に、主開閉器４の電源側端子からの電源を供給する導体を接続する端子台３０４ｃ、３０５ｃを備えた接続導体３０４、３０５と、これら接続導体を絶縁支持する器体とを備えて構成されている。
【００７５】
前記接続端子３０４ａ、３０５ａ並びに３０４ｂ、３０５ｂの配置関係は、前述した母線における分岐線の配置関係と同様な位置関係で形成されて、図９に示したように、分岐開閉器７と接続される一定間隔で列設される分岐線１０１０１ｂ、１０３０１ｂの位置関係と、一次送り回路用端子台ユニット３００における接続端子３０５ａ、３０４ａの分岐開閉器７１に対する位置関係とを同じに構成している。なお、接続端子３０４ｂ、３０５ｂの位置関係も同様である。
【００７６】
このように構成された一次送り回路用端子台ユニット３００は、図２におけるスペース１１２２３Ａに、母線１０１の背面側に設けられた一次送り回路用端子台ユニットの貫通部１１２０を潜らせるように配置することにより所定位置に配置される。そして、一次送り回路用端子台ユニット３００は、上板部１１２挟む格好でねじ貫通孔３０３に通されるねじにより下板部１１１に螺着することにより取付が完了する。この状態を図１０に示している。
【００７７】
そして、上列側において一次送り回路用分岐開閉器７１を取付けるときは前記一次送り回路用分岐開閉器載置部３０１に、分岐開閉器７を取付けるときと同様に取り付けることにより一次送り回路用分岐開閉器７１の取り付けが完了する。そして、下列側において一次送り回路用分岐開閉器７２を取付けるときは、前記スペース１１２２３Ｂに、分岐開閉器７を取付けるときと同様に取り付けることにより一次送り回路用分岐開閉器７２の取り付けが完了する。この状態を図１１に示している。
【００７８】
このように、一次送り回路用分岐開閉器を、図１１に示すように、分岐開閉器群７ａ、７ｂと列設させて、上列の端部と下列の端部とに隣接させて２回路配設させることができ、一次送り回路用端子台ユニットを分電盤における所定の位置に配設することにより、特別に一次送り回路用の分岐開閉器の取付台を設けなくとも、２回路の一次送り回路用の分岐開閉器を母線には特別な加工を施すことなく、なおかつ分岐開閉器の数を減らすことなく増設することができ、しかも主開閉器の二次側から電源を供給される分岐開閉器群を構成する分岐開閉器と同間隔で列設させて、見栄えよく一次送り回路用の分岐開閉器を配設することができる。
【００７９】
また、中底１１は、分岐回路数の変化に対し、下板部１１１、上板部１１２及び母線１０の長さを変えて対応できるよう構成されている。図１２に示したように、前記上板部１１２は、端部の部品１１２ａ、１１２ｄ、該端部の間に挟まれる分岐開閉器を載置する部品１１２ｂ、１１２ｃ、Ｌ１、Ｌ２、中性極の母線同士を絶縁するための絶縁壁としての部品１１２ｅ、１１２ｆに分割され、母線の幹が延出する方向に４回路ずつ、合計８回路毎の分岐開閉器を載置する部品を連結して増やしたり、又は減らしたりして分岐回路数の変化に対応する。
【００８０】
また、下板部１１１は分割を行わず、上板部の増減単位と同様に、母線の幹が延出する方向に４回路ずつ、合計８回路毎に、下板部１１１の長さを変えて形成する構成となっている。
【００８１】
尚、本発明は、上記実施形態に限定されるものではなく、本発明の要旨を逸脱しない範囲で種々の変更が可能である。
【００８２】
例えば、なお、下板部の部品配置スペース５に相当する部分を金属加工により凹ませて形成し、該部品配置スペース５の大きさを拡大して構成してもよい。この場合には、下板部１１１の背面側に施工する電線の配線の邪魔になりにくいように、凹み部の端部の形状を、段差状ではなく傾斜面（Ｃ面）形状とし、凹み部につっかえるなどの干渉が起こりにくいように形成するとよい。
【００８３】
また、上板部の分割単位を、母線の幹が延出する方向に４回路ずつ分割する他、２回路毎や８回路、あるいは、１回路ずつに設けて、分電盤の設計上要求される分岐回路数の追加に細かに追随できるよう構成してもよい。
【００８４】
また、下板部１１１について、上板部１１２と同様に分割する構成とし、両端部の部品と、該両端部の部品の間に挟まれるように母線の幹が延出する方向に４回路ずつ、又は他の回路数ずつの長さに分割してそれぞれを螺子で締結してつなぎ合わせたり、互いに嵌合する嵌合部を形成して接続することにより形成してもよい。これにより、下板部１１１の共用化を図ることができる。
【００８５】
また、前記開閉手段における嵌合部１１２５に代えて、母線取付部と分岐開閉器取付部とに軸受部を形成し、該軸受部に軸を通すことにより、分岐開閉器取付部を回動自在に形成してもよい。
【００８６】
また、前記開閉手段における回動方向について、前記嵌合部１１２７における軸部を、分岐開閉器取付部における分岐開閉器を並設する方向の端部並びに下板部１１１に軸受部を設けることにより、分岐開閉器の電源側−負荷側の方向に回動軸が形成されるように構成し、回動方向を違えて構成してもよい。
【符号の説明】
【００８７】
１  分電盤
２  ケース
３  電流制限器
４  主開閉器
５  部品配置スペース
７  分岐開閉器
８  開口部
９  接続導体
１０  母線
１０１  中性極の母線
１０２  Ｌ２の母線
１０３  Ｌ１の母線
１１  中底
１１１  下板部
１１１１  取付孔部
１１１２  折曲部
１１２  上板部
１１２ａ  端部の部品
１１２ｂ  分岐開閉器を載置する部品
１１２ｃ  分岐開閉器を載置する部品
１１２ｄ  端部の部品
１１２ｅ  絶縁壁
１１２ｆ  絶縁壁
１１２１  母線取付部
１１２２  分岐開閉器取付部
１１２２ａ  仕切り部
１１２２ｂ  分岐開閉器引掛部
１１２３  取付爪部
１１２４  仕切り壁
１１２４ａ  切欠き部
１１２５  嵌合部
１１２６  配線溝部
１１２７  嵌合部
１１２８  開口部
１１２２３Ａ  一次送り回路用の分岐開閉器を配置するスペース
１１２２３Ｂ  一次送り回路用の分岐開閉器を配置するスペース
１１２０  一次送り回路用端子台ユニットの貫通部
３００  一次送り回路用端子台ユニット
３０２ｂ  取付け固定部
３０１  載置部
３０３  ねじ貫通孔
３０４  接続導体
３０５  接続導体
【図１】
2012139032.tif 000003
【図２】
2012139032.tif 000004
【図３】
2012139032.tif 000005
【図４】
2012139032.tif 000006
【図５】
2012139032.tif 000007
【図６】
2012139032.tif 000008
【図７】
2012139032.tif 000009
【図８】
2012139032.tif 000010
【図９】
2012139032.tif 000011
【図１０】
2012139032.tif 000012
【図１１】
2012139032.tif 000013
【図１２】
2012139032.tif 000014
【図１３】
2012139032.tif 000015
【図１４】
2012139032.tif 000016
【図１５】
2012139032.tif 000017
【図１６】
2012139032.tif 000018
【図１７】
2012139032.tif 000019
【図１８】
2012139032.tif 000020